(57)【要約】【課題】投影される画像の周部に余白が生ずることを抑制しつつ流体によりスクリーンを形成することのできようにする。【解決手段】このスクリーン形成装置３は、発生部３０１と、この発生部３０１にダクト３０２を介して連通された噴出部３０３とで構成されている。発生部３０１は、超音波振動によりミストを発生する。メインファン３１０の回転に伴いダクト３０２を介してチャンバー３１２内に供給されたミスト３１１は、各個別ファン５３１〜５３５の回転速度に応じた量で各個別ファン５３１〜５３５の上方に吹き出される。これら各個別ファン５３１〜５３５の上方に吹き出されたミスト３１１の集合によりスクリーン３１５（ミストスクリーンとも称される）が形成される。【選択図】図２
2015121655.tif 000002
【特許請求の範囲】
【請求項１】
流体を供給する供給部と、
前記供給部より供給される流体を噴出させて、画像を投影するためのスクリーンを形成する噴出部と、
前記噴出部の複数部位において当該部位から噴出させる前記流体の噴出状態を個別に制御する制御部と
を備えることを特徴とするスクリーン形成装置。
【請求項２】
前記制御部は、各部位から噴出される流体の噴出量を制御するものであることを特徴とする請求項１記載のスクリーン制御装置。
【請求項３】
前記流体は、水の粒子であることを特徴とする請求項１記載のスクリーン形成装置。
【請求項４】
前記供給部は、前記水の粒子を噴出部方向に圧送するファンを有することを特徴とする請求項１記載のスクリーン形成装置。
【請求項５】
前記噴出部は、前記流体を上方へ噴出させる噴出口であることを特徴とする請求項１から４にいずれか記載のスクリーン形成装置。
【請求項６】
前記制御部は、前記部位毎に配設され個別に回転を制御されるファンをするものであることを特徴とする請求項１から５にいずれか記載のスクリーン形成装置。
【請求項７】
前記制御部は、前記部位毎に区分して設けられた個別噴出口を有することを特徴とする請求項１から６にいずれか記載のスクリーン形成装置。
【請求項８】
前記スクリーン上に投影される画像を取得する取得手段を備え、
前記制御部は、前記取得手段により取得された画像の形状に基づき、前記各部位から噴出させる流体の量を制御することを特徴とする請求項１から７にいずれか記載のスクリーン形成装置。
【請求項９】
前記制御部は、前記取得手段により取得された画像の外周形状に近似する形状のスクリーンが形成されるように、前記各部位から噴出させる流体の量を制御することを特徴とする請求項７記載のスクリーン形成装置。
【請求項１０】
前記供給部上に、前記制御部を有する噴出部が配置されたことを特徴とする請求項１記載のスクリーン形成装置。
【請求項１１】
前記スクリーン上に投影される画像を取得する取得手段を備え、
前記制御部は、
前記取得手段により取得された画像を前記各部位に対応する複数の領域に区分する領域区分手段と、
前記領域区分手段により区分された領域毎に、画像の区分された方向における最大長を算出する算出手段とを備え、
前記算出手段により算出された最大長に基づき、前記領域毎に流体の噴出長を個別に制御することを特徴とする請求項１から８にいずれか記載のスクリーン形成装置。
【請求項１２】
投影装置とスクリーン形成装置とからなる投影システムであって、
前記投影装置は、スクリーンに画像を投影する投影手段を備え、
前記スクリーン形成装置は、
流体を供給する供給部と、
前記供給部より供給される流体を噴出させて、画像を投影するためのスクリーンを形成する噴出部と、
前記噴出部の複数部位において当該部位から噴出させる前記流体の噴出状態を個別に制御する制御部と
を備えることを特徴とする投影システム。
【請求項１３】
前記スクリーン形成装置は、
前記投影装置により投影される画像を取得する取得手段を備え、
前記制御部は、前記取得手段により取得された画像の形状に基づき、前記各部位から噴出させる流体の量を制御することを特徴とする請求項９記載の投影システム。
【請求項１４】
前記スクリーン形成装置の制御部は、前記取得手段により取得された画像の外周形状に近似する形状のスクリーンが形成されるように、前記各部位から噴出させる流体の量を制御することを特徴とする請求項１１記載の投影システム。
【請求項１５】
前記スクリーン形成装置は、
前記投影装置により投影される画像を取得する取得手段を備え、
前記制御部は、
前記取得手段により取得された画像を前記各部位に対応する複数の領域に区分する領域区分手段と、
前記領域区分手段により区分された領域毎に、画像の区分された方向における最大長を算出する算出手段とを備え、
前記算出手段により算出された最大長に基づき、前記領域毎に流体の噴出長を個別に制御することを特徴とする請求項１１から１４にいずれか記載の投影システム。
【請求項１６】
画像を投影するためのスクリーンを形成する流体を供給し、
前記供給された流体を複数部位において当該部位から噴出させ、
前記流体の噴出状態を個別に制御することにより、前記画像の外周形状に応じた外周形状のスクリーンを形成するとを特徴とするスクリーン形成方法。
【発明の詳細な説明】
【技術分野】
【０００１】
本発明は、水の粒子（ミスト、フォグ（霧）ともいう）や水、粉体等の流体（流動体）を用いて、画像を投影するためのスクリーンを形成するスクリーン形成装置、投影システム及びスクリーン形成方法に関する。
【背景技術】
【０００２】
従来より、液体例えば水を超音波振動子で攪拌して粒子化し平面的に噴出させることにより、スクリーンとする装置が知られている（例えば、特許文献１参照）。この装置は、フォグスクリーン装置とも呼ばれ、水の粒子により形成されたスクリーン（以下、フォグスクリーンという）にプロジェクター等を用いて画像を投影する。これにより、画像が空中に浮かんで見えるホログラム効果を得ようとするものである。
【０００３】
【特許文献１】特開平５−２７６９４号公報
【発明の概要】
【発明が解決しようとする課題】
【０００４】
投影に際しては、投影される画像よりもフォグスクリーンが小さいと、画像に部分的な投影欠落が生ずることから、画像よりも十分に大きなフォグスクリーンを形成して投影を行うことが一般的に行われている。このため、フォグスクリーンに投影された画像の周囲に余白部分のフォグが目視されてしまい、画像ホログラムとしての効果が損なわれてしまう。
【０００５】
本発明は、かかる従来の課題に鑑みてなされたものであり、投影される画像の周部に余白が生ずることを抑制しつつ流体によりスクリーンを形成することのできるスクリーン形成装置、投影システム及びスクリーン形成方法を提供することを目的とする。
【課題を解決するための手段】
【０００６】
前記課題を解決するために本発明に係るスクリーン形成装置は、流体を供給する供給部と、前記供給部より供給される流体を噴出させて、画像を投影するためのスクリーンを形成する噴出部と、前記噴出部の複数部位において当該部位から噴出させる前記流体の噴出状態を個別に制御する制御部とを備えることを特徴とする。
【０００７】
また、本発明に係る投影システムは、投影装置とスクリーン形成装置とからなる投影システムであって、前記投影装置は、スクリーンに画像を投影する投影手段を備え、前記スクリーン形成装置は、流体を供給する供給部と、前記供給部より供給される流体を噴出させて、画像を投影するためのスクリーンを形成する噴出部と、前記噴出部の複数部位において当該部位から噴出させる前記流体の噴出状態を個別に制御する制御部とを備えることを特徴とする。
【０００８】
また、本発明に係るスクリーン形成方法は、画像を投影するためのスクリーンを形成する流体を供給し、前記供給された流体を複数部位において当該部位から噴出させ、前記流体の噴出状態を個別に制御することにより、前記画像の外周形状に応じた外周形状のスクリーンを形成するとを特徴とする。
【発明の効果】
【０００９】
本発明によれば、投影される画像の周部に余白が生ずることを抑制しつつ流体によりスクリーンを形成することができ、ホログラム効果を損なうことなく画像を投影することができる。
【図面の簡単な説明】
【００１０】
【図１】本発明の一実施の形態に係るシステムの全体構成を示す斜視図である。
【図２】本発明の第１の実施の形態を示す模式断面図である。
【図３】プロジェクタの回路構成を示すブロック図である。
【図４】スクリーン形成装置の回路構成を示すブロック図である。
【図５】（Ａ）はメインファン制御テーブルを示す概念図、（Ｂ）は個別ファン制御テーブルを示す概念図である。
【図６】スクリーン形成装置の処理手順を示すフローチャートである。
【図７】投影画像を垂直方向に五分割した場合の第１〜第５分割領域を示す図である。
【図８】本発明の第２の実施の形態におけるスクリーン形成装置を示す模式断面図である。
【図９】本発明の第３の実施の形態におけるスクリーン形成装置を示す模式断面図である。
【図１０】本発明の第４の実施の形態におけるスクリーン形成装置を示す模式断面図で
【発明を実施するための形態】
【００１１】
以下、本発明の一実施の形態を図にしたがって説明する。
（第１の実施形態）
図１は、本発明の第１の実施の形態に係る投影システム１の外観構成を示す斜視図である。投影システム１は、プロジェクタ２、及びこれと電気的に接続されたスクリーン形成装置３とで構成されている。
【００１２】
図２は、スクリーン形成装置３の構成を示す模式断面図である。このスクリーン形成装置３は、発生部３０１と、この発生部３０１にダクト３０２を介して連通された噴出部３０３とで構成されている。発生部３０１は、一端面に開口部３０５が設けられたタンク３０７を有し、タンク３０７の他端面に前記ダクト３０２が連通されている。タンク３０７内には、水３０８が収容され、水３０８内に超音波振動子３０９が配置されている。また、前記開口部３０５には、タンク３０７内方向に送風するメインファン３１０が設けられている。したがって、超音波振動子３０９の動作に伴って水３０８の粒子（以下ミスト３１１という）が発生するとともに、発生したミスト３１１はダクト３０２を通過して噴出部３０３に圧送される。
【００１３】
噴出部３０３は、チャンバー３１２を有しており、チャンバー３１２の一方の側面に前記ダクト３０２が接合されている。また、チャンバー３１２の上面には、単一であって長尺状の上部開口３１３が設けられ、下面には５個の下部開口５２１〜５２５が開設されている。各下部開口５２１〜５２５には、チャンバー３１２内方向に送風する個別ファン５３１〜５３５が配置されている。したがって、個別ファン５３１〜５３５が回転すると、その回転速度に応じた量の外気が対応する下部開口５２１〜５２５から吸引されて、上部開口３１３より上方へ吹き出される。よって、メインファン３１０の回転に伴いダクト３０２を介してチャンバー３１２内に供給されたミスト３１１はも各個別ファン５３１〜５３５の回転速度に応じた量で各個別ファン５３１〜５３５の上方に吹き出されることとなる。これら各個別ファン５３１〜５３５の上方に吹き出されたミスト３１１の集合によりスクリーン３１５（ミストスクリーンとも称される）が形成される。
【００１４】
図３は、前記プロジェクタ２の電気的構成を示すブロック図である。このプロジェクタ２は、制御部１１、入出力インターフェイス１２、画像変換部１３、表示エンコーダ１４、表示駆動部１５等を有する。入出力コネクタ部１６から入力された各種規格の画像信号（画像データ）は、入出力インターフェイス１２、システムバス１７を介して、画像変換部１３で表示に適した所定フォーマットの画像データに統一するように変換された後、表示エンコーダ１４に送られる。表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００１５】
表示エンコーダ１４からビデオ信号が入力される表示駆動部１５は、送られてきた画像信号に対応して適宜フレームレートで空間的光変調素子（ＳＯＭ）である表示素子１９を駆動する。そして、ランプを有する光源装置２０から射出された光線束を、光源側光学系を介して表示素子１９に入射することにより、表示素子１９の反射光で光像を形成し、投影側光学系とする可動レンズ群２１を介してスクリーン３１５に画像を投影表示する。この投影側光学系の可動レンズ群２１は、レンズモータ２２によりズーム制御やフォーカス制御のための駆動が行われる。
【００１６】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し、１フレーム単位で伸張して画像変換部１３を介して表示エンコーダ１４に送り、メモリカード２４に記憶された画像データに基づいて動画表示を可能にするものである。
【００１７】
制御部１１は、プロジェクタ２内における各回路の動作を制御するものであって、ＣＰＵ及びその周辺回路、ＲＯＭ１１１、ＲＡＭ１１２等で構成されている。ＲＯＭ１１１には、各種セッティング等のプログラム、後述するフローチャートにより示すプログラムやデータ等が予め記憶されており、ＲＡＭ１１２は、ワークメモリ等として使用される。
【００１８】
キー／インジケータ部２５は、本体ケース等に設けられているメインキー及びインジケータ、当該プロジェクタ２の起動時に点灯するランプやスクリーン形成装置３までの距離を入力するためのキー等により構成される。これらインジケータ等は制御部１１により表示及び点滅制御され、各種キーの操作信号は制御部１１に送出される。また、制御部１１は、光源制御回路２６を制御することにより、画像信号に応じて赤色光源、緑色光源、青色光源を時分割制御している。
【００１９】
なお、前述のように、画像変換部１３は、入出力コネクタ部１６から入力された各種規格の画像信号（画像データ）を所定フォーマットの画像データに統一するように変換した後、表示エンコーダ１４に送る。画像データ等出力部２７は、下記データ（１）（２）（３）をスクリーン形成装置３に供給するものである。
（１）画像変換部１３により変換された所定フォーマットの画像データ、
（２）レンズモータ２２によりズーム可動レンズ群２１に設定されたズーム倍率
（３）キー／インジケータ部２５でユーザにより入力されたスクリーン３１５までの距離  したがって、スクリーン形成装置３はプロジェクタ２がスクリーン３１５に投影する画像を表す画像データと同一の画像データを取得することができる。また、この画像データと前記ズーム倍率、距離により、スクリーン３１５に投影される画像の大きさを算出することもできる。
【００２０】
図４は、スクリーン形成装置３の電気的構成を示すブロック図である。このスクリーン形成装置３には、画像データ等入力部３１、制御部３２、モータドライバ回路３３が設けられている。画像データ等入力部３１は、プロジェクタ２の画像データ等出力部２７から出力される前記（１）（２）（３）の各データを入力させるインターフェイスである。制御部３２は、スクリーン形成装置３内における各回路の動作を制御するものであって、ＣＰＵ及びその周辺回路、ＲＯＭ１１１、ＲＡＭ３２２等で構成されている。ＲＯＭ３２１には後述するフローチャートにより示すプログラムやデータ等が予め記憶されており、ＲＡＭ１１２は、ワークメモリ等として使用される。
【００２１】
モータドライバ回路３３には、メインモータ４０と５個の個別モータ４１〜４５が接続されている。メインモータ４０はメインファン３１０を回転駆動するモータであり、５個の個別モータ４１〜４５は個別ファン５３１〜５３５回転駆動するモータである。モータドライバ回路３３は、これら計６個のモータ４０〜４５に対して異なる電圧を個別に印加し得る機能を有する。よって、モータ４０〜４５に異なる電圧が印加されることにより、メインファン３１０及び個別ファン５３１〜５３５は各々異なる速度で回転することが可能である。
【００２２】
図５は、前記制御部３２が有するＲＯＭ３２１に予め格納されているテーブルの構成を示す図である。ＲＯＭ３２１には、メインファン制御テーブル３５１と、個別ファン制御テーブル３５２とが予め記憶されている。メインファン制御テーブル３５１には、画像を欠落無く投影することのできる面積のスクリーン３１５を形成する際にミスト３１１を供給するためメインモータ４０に印加することが必要な電圧が記憶されている。つまり、スクリーン３１５の投影面積がＧ１、Ｇ２、Ｇ３、Ｇ４・・・と大きくなるに連れて、当該大きさのスクリーン３１５を形成するに必要なメインモータ４０への印加電圧ＶＡ、ＶＢ，ＶＣ，ＶＤ・・・が記憶されている。
【００２３】
したがって、必要なスクリーン３１５の面積が大きくなるに従ってメインファン３１０が高速で回転し、多量のミスト３１１が発生部３０１から横ダクト３６０を介して噴出部３０３に供給されることとなる。なお、これらの値は実験的に求められたものである。
【００２４】
個別ファン制御テーブル３５２には、図７に示すように、スクリーン３１５に投影される画像（投影画像６００）を垂直方向に五分割した場合の第１〜第５分割領域６０１〜６０５における当該領域における画像の最大高さＨ１、Ｈ２、Ｈ３、Ｈ４、Ｈ５に対応して、当該高さの画像部分を投影することが可能なスクリーン３１５の高さを確保するに必要な個別モータ４１〜４５への印加電圧Ｖａ，Ｖｂ，Ｖｃ，Ｖｄ・・・が記憶されている。これらは、下方に向かって徐々に増大する値である。したがって、必要な高さが高くなるに従って個別モータ４１〜４５が高速で回転し、これにより、分割領域６０１〜６０５毎に必要な高さを有するスクリーン３１５が形成されることとなる。
【００２５】
以上の構成に係る本実施の形態において、プロジェクタ２は画像データを画像変換部１３で変換し、表示エンコーダ１４により画像信号をビデオＲＡＭ１８に展開記憶させた上で、このビデオＲＡＭ１８の記憶内容からビデオ信号を生成して表示駆動部１５に出力する。表示駆動部１５が、送られてきた画像信号に対応して表示素子１９を駆動し、光源装置２０から射出された光線束を光源側光学系を介して表示素子１９に入射することにより、表示素子１９の反射光で光像を形成し、レンズ群２１を介してスクリーン３１５に画像を投影する。
【００２６】
一方、スクリーン形成装置３の制御部３２は、ＲＯＭ３２１に格納されているプログラムに基づき、図６のフローチャートに示すように処理を実行する。すなわち、プロジェクタ２の画像データ等出力部２７から、スクリーン形成装置３の画像データ等入力部３１に前述の（１）画像データ、（２）ズーム倍率、（３）スクリーン３１５までの距離が入力される。すると、制御部３２はこれらデータを用いて、スクリーン３１５に投影される画像をＲＡＭ３２２内で仮想的に生成し、投影画像の大きさを算出するとともに、その表面積を算出する（ステップＳ１）。
【００２７】
引き続き、メインファン制御テーブル３５１を参照して、前記表面積からなる投影画像を欠落無く投影可能な大きさのスクリーン３１５を形成するに必要なメインモータ４０に対する印加電圧を読み出す。そして、この印加電圧をメインモータ４０に供給することにより、メインファン３１０を回転させて、ミスト３１１を給送する（ステップＳ２）。これにより、スクリーン形成装置３は投影画像を欠落無く投影することが可能なスクリーンを形成することができる。
【００２８】
また、ステップＳ１での処理により、仮想的に投影画像をＲＡＭ３２２内に生成してあるので、この投影画像を個別ファンの数で縦方向に同一幅で分割する（ステップＳ３）。これにより、図７に示すように投影画像６００を垂直方向に五分割した場合の第１〜第５分割領域６０１〜６０５が形成されることとなる。
【００２９】
次に、この各分割領域６０１〜６０５の最大高さを算出する（ステップＳ４）。これにより、図７に示した最大高さＨ１、Ｈ２、Ｈ３、Ｈ４、Ｈ５が算出されることとなる。そして、この算出した最大高さＨ１、Ｈ２、Ｈ３、Ｈ４、Ｈ５に対応する個別モータ４１〜４５への印加電圧Ｖａ，Ｖｂ，Ｖｃ，Ｖｄ・・・を個別ファン制御テーブル３５２から読み出す。そして、この印加電圧を個別モータ４１〜４５に供給することにより、個別ファン５３１〜５３５を夫々前記最大高さに応じた速度で回転させる（ステップＳ５）。したがって、各個別ファン５３１〜５３５には、投影画像の対応する分割領域６０１〜６０５が投影するに必要な高さからなるスクリーンを成形することができる。
【００３０】
よって、投影画像６００以上の高さかからなるスクリーン３１５が形成されることにより、投影画像６００がどのような形状であってもそのの周部に余白が生ずることを防止して、ホログラム効果を損なうことなく画像を投影することができる。
【００３１】
しかも、本実施の形態においては、メインファン３１０の制御によりスクリーン３１５全体も投影画像に応じた大きさに応じたミスト３１１を供給するようにしたことから、投影画像６００の周部に余白が生ずることを、より確実に防止することができる。
【００３２】
また、ステップＳ５に続きステップＳ６では、投影を終了するか否かを判断する。継続する場合には、ステップＳ１からの処理を繰り返し、終了する場合にはこのフローに従った処理を終える。
【００３３】
なお、本実施の形態においては、プロジェクタ２とスクリーン形成装置３との間の距離をキー入力するようにしたが、いずれか一方の装置に測距センサを設けておき、測距により距離データをえるようにしてもよい。
【００３４】
（第２の実施の形態）
図８は、本発明の第２の実施の形態に係るスクリーン形成装置３の構成を示す模式断面図である。このスクリーン形成装置３は、発生部３０１と、この発生部３０１の上部に一体的に結合された噴出部３０３とで構成されている。発生部３０１は、上面が開口状の容器体からなるタンク３０７を有している。タンク３０７内には、水３０８が収容され、水３０８内に超音波振動子３０９が配置されている。したがって、超音波振動子３０９の動作に伴ってミスト３１１が発生する。
【００３５】
噴出部３０３は、チャンバー３１２を有しており、チャンバー３１２の上面には、単一であって長尺状の上部開口３１３が設けられ、下面には５個の下部開口５２１〜５２５が開設されている。各下部開口５２１〜５２５には、チャンバー３１２内方向に送風する個別ファン５３１〜５３５が配置されている。したがって、個別ファン５３１〜５３５が回転すると、その回転速度に応じた量のミスト３１１が対応する下部開口５２１〜５２５から吸引されて、上部開口３１３より上方へ吹き出される。
【００３６】
したがって、本実施の形態に係るスクリーン形成装置３によれば、第１実施の形態に係る装置とは異なり、メインファン３１０及びその制御系が不要となり、装置の簡単化を図ることができる。また、横ダクト３６０も不要とし、発生部３０１と噴出部３０３とを上下に配置するようにしたことから、装置の小型化を図ることもできる。
【００３７】
（第３の実施の形態）
図９は、本発明の第３の実施の形態に係るスクリーン形成装置３の構成を示す模式断面図である。このスクリーン形成装置３は、発生部３０１と、この発生部３０１に横ダクト３６０を介して連通された噴出部３０３とで構成されている。発生部３０１は、一端面に開口部３０５が設けられたタンク３０７を有し、タンク３０７の他端面に前記横ダクト３６０が連通されている。タンク３０７内には、水３０８が収容され、水３０８内に超音波振動子３０９が配置されている。また、前記開口部３０５には、タンク３０７内方向に送風するメインファン３１０が設けられている。したがって、超音波振動子３０９の動作に伴ってミスト３１１が発生するとともに、発生したミスト３１１は横ダクト３６０を通過して噴出部３０３に圧送される。
【００３８】
噴出部３０３には、下端部が前記横ダクト３６０に連通して接続された各々独立した５本の縦ダクト３６１〜３６５が設けられている。各縦ダクト３６１〜３６５内の下部には、各々個別ファン５３１〜５３５が配置されている。また、各縦ダクト３６１〜３６５上端部には、吹出口３７１〜３７５が設けられている。
【００３９】
したがって、メインファン３１０が回転すると、ミスト３１１が発生部３０１から横ダクト３６０を介して噴出部３０３に供給される。また、噴出部３０３の個別ファン５３１〜５３５も回転していると、横ダクト３６０内のミスト３１１は各縦ダクト３６１〜３６５内に吸入された後、個別ファン５３１〜５３５の回転速度に応じた量で吹出口３７１〜３７５を介して外部に排出される。これら各吹出口３７１〜３７５から上方に吹き出されたミスト３１１の集合によりスクリーン３１５が形成される。
【００４０】
このとき、前記第１〜第５分割領域６０１〜６０５のスクリーン部を形成するミスト３１１は、各々独立した異なる吹出口３７１〜３７５から吹き出される。したがって、隣接する分割領域６０１〜６０５のミスト３１１同士での干渉が少なく、第１〜第５分割領域６０１〜６０５において精度よくミスト３１１の高さ制御を行うことができる。よって、投影画像６００以上の高さかからなるスクリーン３１５が形成されること、及び投影画像６００の周部に余白が生ずることを確実に防止して、ホログラム効果を損なうことなく画像を投影することができる。
【００４１】
（第４の実施の形態）
図１０は、本発明の第４の実施の形態に係るスクリーン形成装置３の構成を示す模式断面図である。このスクリーン形成装置３は、発生部３０１と、この発生部３０１の上部に一体的に結合された噴出部３０３とで構成されている。発生部３０１は、上面が開口状の容器体からなるタンク３０７を有し、タンク３０７内には、水３０８が収容され、水３０８内に超音波振動子３０９が配置されている。したがって、超音波振動子３０９の動作に伴ってミスト３１１が発生する。
【００４２】
噴出部３０３には、下端部が開口している各々独立した５本の縦ダクト３６１〜３６５が設けられている。各縦ダクト３６１〜３６５内の下部には、各々個別ファン５３１〜５３５が配置されている。また、各縦ダクト３６１〜３６５上端部には、吹出口３７１〜３７５が設けられている。
【００４３】
したがって、個別ファン５３１〜５３５が回転すると、タンク３０７内のミスト３１１は各縦ダクト３６１〜３６５内に吸入された後、個別ファン５３１〜５３５の回転速度に応じた量で吹出口３７１〜３７５を介して外部に排出される。これら各吹出口３７１〜３７５から上方に吹き出されたミスト３１１の集合によりスクリーン３１５が形成される。
【００４４】
したがって、本実施の形態に係るスクリーン形成装置３によれば、第３実施の形態の装置とは異なり、メインファン３１０及びその制御系が不要となり、装置の簡単化を図ることができる。また、横ダクト３６０も不要とし、発生部３０１と噴出部３０３とを上下に配置するようにしたことから、装置の小型化を図ることもできる。
【００４５】
なお、本実施の形態においては、流体として水の粒子（ミスト）を用いた場合を示したが、これに限ることなく、水、煙等、他の流体を適宜用いることができる。水の粒子の場合は、実施の形態に示したように、下方から上方に吹き出すようにすれば、所望形状のスクリーンを形成することが容易となる。また、水等の液体の場合は、上方から下方に落下させるようにすれば、所望形状のスクリーンを形成することが容易となる。。
【００４６】
以上、本発明の実施形態について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
［請求項１］
流体を供給する供給部と、
前記供給部より供給される流体を噴出させて、画像を投影するためのスクリーンを形成する噴出部と、
前記噴出部の複数部位において当該部位から噴出させる前記流体の噴出状態を個別に制御する制御部と
を備えることを特徴とするスクリーン形成装置。
［請求項２］
前記制御部は、各部位から噴出される流体の噴出量を制御するものであることを特徴とする請求項１記載のスクリーン制御装置。
［請求項３］
前記流体は、水の粒子であることを特徴とする請求項１記載のスクリーン形成装置。
［請求項４］
前記噴出部は、前記流体を上方へ噴出させる噴出口であることを特徴とする請求項１、２又は３記載のスクリーン形成装置。
［請求項５］
前記制御部は、前記部位毎に配設され個別に回転を制御されるファンをするものであることを特徴とする請求項１から４にいずれか記載のスクリーン形成装置。
［請求項６］
前記制御部は、前記部位毎に区分して設けられた個別噴出口を有することを特徴とする請求項１から５にいずれか記載のスクリーン形成装置。
［請求項７］
前記スクリーン上に投影される画像を取得する取得手段を備え、
前記制御部は、前記取得手段により取得された画像の形状に基づき、前記各部位から噴出させる流体の量を制御することを特徴とする請求項１から６にいずれか記載のスクリーン形成装置。
［請求項８］
前記制御部は、前記取得手段により取得された画像の外周形状に近似する形状のスクリーンが形成されるように、前記各部位から噴出させる流体の量を制御することを特徴とする請求項６記載のスクリーン形成装置。
［請求項９］
前記スクリーン上に投影される画像を取得する取得手段を備え、
前記制御部は、
前記取得手段により取得された画像を前記各部位に対応する複数の領域に区分する領域区分手段と、
前記領域区分手段により区分された領域毎に、画像の区分された方向における最大長を算出する算出手段とを備え、
前記算出手段により算出された最大長に基づき、前記領域毎に流体の噴出長を個別に制御することを特徴とする請求項１から８にいずれか記載のスクリーン形成装置。
［請求項１０］
投影装置とスクリーン形成装置とからなる投影システムであって、
前記投影装置は、スクリーンに画像を投影する投影手段を備え、
前記スクリーン形成装置は、
流体を供給する供給部と、
前記供給部より供給される流体を噴出させて、画像を投影するためのスクリーンを形成する噴出部と、
前記噴出部の複数部位において当該部位から噴出させる前記流体の噴出状態を個別に制御する制御部と
を備えることを特徴とする投影システム。
［請求項１１］
前記スクリーン形成装置は、
前記投影装置により投影される画像を取得する取得手段を備え、
前記制御部は、前記取得手段により取得された画像の形状に基づき、前記各部位から噴出させる流体の量を制御することを特徴とする請求項１０記載の投影システム。
［請求項１２］
前記スクリーン形成装置の制御部は、前記取得手段により取得された画像の外周形状に近似する形状のスクリーンが形成されるように、前記各部位から噴出させる流体の量を制御することを特徴とする請求項１０記載の投影システム。
［請求項１３］
前記スクリーン形成装置は、
前記投影装置により投影される画像を取得する取得手段を備え、
前記制御部は、
前記取得手段により取得された画像を前記各部位に対応する複数の領域に区分する領域区分手段と、
前記領域区分手段により区分された領域毎に、画像の区分された方向における最大長を算出する算出手段とを備え、
前記算出手段により算出された最大長に基づき、前記領域毎に流体の噴出長を個別に制御することを特徴とする請求項１０，１１又は１２記載の投影システム。
［請求項１４］
画像を投影するためのスクリーンを形成する流体を供給し、
前記供給された流体を複数部位において当該部位から噴出させ、
前記流体の噴出状態を個別に制御することにより、前記画像の外周形状に応じた外周形状のスクリーンを形成するとを特徴とするスクリーン形成方法。
【符号の説明】
【００４７】
１    投影システム
２    プロジェクタ
３    スクリーン形成装置
１１    制御部
１２    入出力インターフェイス
１３    画像変換部
１４    表示エンコーダ
１５    表示駆動部
１６    入出力コネクタ部
１７    システムバス
１８    ビデオＲＡＭ
１９    表示素子
２０    光源装置
２１    ズーム可動レンズ群
２２    レンズモータ
２３    画像圧縮／伸張部
２４    メモリカード
２５    キー／インジケータ部
２６    光源制御回路
２７    画像データ等出力部
３１    画像データ等入力部
３２    制御部
３３    モータドライバ回路
４０    メインモータ
４１〜４５    個別モータ
１１１    ＲＯＭ
１１２    ＲＡＭ
３０１    発生部
３０２    ダクト
３０３    噴出部
３０５    開口部
３０７    タンク
３０８    水
３０９    超音波振動子
３１０    メインファン
３１１    ミスト
３１２    チャンバー
３１３    上部開口
３１５    スクリーン
３５１    メインファン制御テーブル
３５２    個別ファン制御テーブル
３６０    横ダクト
３６１〜３６５    縦ダクト
３７１〜３７５    吹出口
５２１〜５２５    下部開口
５３１〜５３５    個別ファン
６００    投影画像
６０１〜６０５    分割領域
【図１】
2015121655.tif 000003
【図２】
2015121655.tif 000004
【図３】
2015121655.tif 000005
【図４】
2015121655.tif 000006
【図５】
2015121655.tif 000007
【図６】
2015121655.tif 000008
【図７】
2015121655.tif 000009
【図８】
2015121655.tif 000010
【図９】
2015121655.tif 000011
【図１０】
2015121655.tif 000012